(57)【特許請求の範囲】
【請求項１】
組立ハウスにおいて相対向して開口する一対の溝形材間に取り付けられる、窓、引戸又はドアのサッシ枠において、
互いに固定される上枠、下枠及び左右の縦枠を有するサッシ枠本体と、
各縦枠に側方へ平行移動可能に設けられ、溝形材の開口凹部に嵌め込み可能な嵌め込み部を有する可動連結枠と、
この嵌め込み部が縦枠の外側方へ突出する量を調整する調整機構とを備え、
上記縦枠は外側方に開くＣ型チャンネル材からなり、
可動連結枠は縦枠の開口凹部内で上記平行移動を案内される溝形部を備え、溝形部のウェブ背面から上記の嵌め込み部が溝形又はＨ形をなして連設されており、
上記調整機構は各縦枠の戸当たり部と嵌め込み部とを連結するねじ軸を備え、このねじ軸は、戸当たり部に露出する操作用の頭部と、戸当たり部に設けられるねじ孔を貫通して嵌め込み部に空回り自在に且つ軸方向相対移動を止めて連結される軸部とを含むことを特徴とする組立ハウス用サッシ枠。
【請求項２】
請求項１において、上記戸当たり部の背面に、上記ねじ軸の軸部に螺合するねじ孔を形成するねじ孔形成体を固定してあることを特徴とする組立ハウス用サッシ枠。
【請求項３】
請求項１又は２において、上記ねじ軸の軸部の端部に段付き部を設けて細径部が形成され、この細径部に嵌合し段付き部により軸方向移動を止められるワッシャと細径部の径方向孔に係合する割りピンとの間に嵌め込み部の背面板が配置されるようにしてあることを特徴とする組立ハウス用サッシ枠。
【発明の詳細な説明】
【０００１】
【発明の属する技術分野】
本発明は、組立ハウスにおいて一対の溝形材間に建て付けられる窓、引戸又はドアのサッシ枠に関する。
【０００２】
【従来の技術及び発明が解決しようとする課題】
一般に、組立ハウスでは、スピーディに組み立てし、また解体できることが要求される。そのために、骨組となるＣ形チャンネル鋼材を柱として設置した後、例えば、戸枠としてのサッシ枠を、相対向する一対のＣ形チャンネル鋼材の開口凹部間に上から落とし込むことで設置している。
設置後のサッシ枠の上には壁パネルが嵌め込まれ、さらにその上には屋根パネルが設置される。
【０００３】
ところで、この種の組立ハウスにおいて、設置後に、サッシ枠を交換したいという要請がある。例えば、サッシ枠において例えば引戸を案内するレール部分や雨じまいのためのシール部分が消耗したり劣化したりして交換が必要となる場合がある。また、ピッキング対策等で錠前を新規なものと交換する必要がある場合に、サッシ枠全体を交換しなければならないこともある。
従来は、サッシ枠の上に位置する壁パネルや屋根パネルを取り外した後、落とし込んであるサッシ枠を上方へ持ち上げて交換していたが、多大な手間がかかっていた。
【０００４】
本発明は、上記課題に鑑みてなされたものであり、交換作業が非常に容易な組立ハウス用サッシ枠を提供することを目的とする。
【０００５】
【課題を解決するための手段】
上記目的を達成するため、
請求項１記載の発明は、組立ハウスにおいて相対向して開口する一対の溝形材間に取り付けられる、窓、引戸又はドアのサッシ枠において、互いに固定される上枠、下枠及び左右の縦枠を有するサッシ枠本体と、各縦枠に側方へ平行移動可能に設けられ、溝形材の開口凹部に嵌め込み可能な嵌め込み部を有する可動連結枠と、この嵌め込み部が縦枠の外側方へ突出する量を調整する調整機構とを備え、上記縦枠は外側方に開くＣ型チャンネル材からなり、可動連結枠は縦枠の開口凹部内で上記平行移動を案内される溝形部を備え、溝形部のウェブ背面から上記の嵌め込み部が溝形又はＨ形をなして連設されており、上記調整機構は各縦枠の戸当たり部と嵌め込み部とを連結するねじ軸を備え、このねじ軸は、戸当たり部に露出する操作用の頭部と、戸当たり部に設けられるねじ孔を貫通して嵌め込み部に空回り自在に且つ軸方向相対移動を止めて連結される軸部とを含むことを特徴とするものである。
【０００６】
本発明では、組立ハウスの据え付け後に、サッシ枠を交換する必要がある場合、調整機構の操作で可動連結枠の嵌め込み部を進退させるだけで、非常に簡単に交換することができる。すなわち、可動連結枠の嵌め込み部を引っ込ませた状態で、サッシ枠を組立ハウスの溝形材間に正面から組み込んだ後、調整機構を操作して嵌め込み部を縦枠の外側方へ突出させ、溝形材の開口凹部に嵌め込めば設置できる。取り外す場合は、この逆の作業をすれば良い。
【０００７】
可動連結枠として押出材等の安価で強度のある部材を利用することができ、また、Ｃ形チャンネル材からなる縦枠と組み合わせ易い。
【０００８】
また、戸当たり部に露出するねじ軸の頭部を回動操作することで、外部から容易に嵌め込み部の突出量を調整することができる。
【０００９】
請求項２記載の発明は、請求項１において、上記戸当たり部の背面に、上記ねじ軸の軸部に螺合するねじ孔を形成するねじ孔形成体を固定してあることを特徴とするものである。本発明では、縦枠とは別体にねじ孔形成体を設けるので、ねじ孔形成体としてねじ孔の強度が得られる材料を自由に用いることができる。
請求項３記載の発明は、請求項１又は２において、上記ねじ軸の軸部の端部に段付き部を設けて細径部が形成され、この細径部に嵌合し段付き部により軸方向移動を止められる第１のワッシャと細径部の径方向孔に係合する割りピンにより軸方向移動を止められる第２のワッシャとの間に嵌め込み部の背面板が配置されるようにしてあることを特徴とするものである。本発明では、戸当たり部からねじ込んだねじ軸の細径部に第１のワッシャを嵌めた後、嵌め込み部の背面板を貫通させ、背面板から突出する細径部に第２のワッシャを嵌め、次いで、割りピンを嵌めることで、容易にねじ機構を組み付けることができる。
【００１０】
【発明の実施の形態】
本発明の好ましい実施の形態を添付図面を参照しつつ説明する。
図１は本発明の一実施の形態のサッシ枠が適用された組立ハウスの概略正面図である。図１を参照して、組立ハウス１は、図示しない基礎に沿って設置されるベース枠２と、ベース枠２上に所定間隔をあけて複数の立てられるダブルのＣ形チャンネル材からなる柱３と、柱３の上端部間を連結する天枠４と、天枠４上に固定される屋根パネル５とを備えている。隣接する柱３，３間には、上方から壁パネル６が落とし込まれている。また、出入り口となる部分の柱３，３間には、本実施の形態の特徴とするところの、いわゆる組立ハウス用サッシとしてのサッシ枠７が取り付けられ、さらに、サッシ枠７の上部には、膜板パネル８が落とし込まれている。
【００１１】
サッシ枠７は、互いに固定されて四角環状をなす上枠９、下枠１０及び左右の縦枠１１，１２を有するサッシ枠本体１３を備え、例えばアルミニウム合金からなる。各縦枠１１，１２には、対応する柱３に一部を嵌め込んで連結するための可動連結枠１４，１５が設けられている。本実施の形態の特徴とするところは、サッシ枠７を前方又は後方から柱３，３間に組み入れた後、可動連結枠１４，１５を左右に迫り出させて、柱３，３の開口凹部内に嵌め込んでサッシ枠７を設置するようにした点にある。
【００１２】
本実施の形態では、サッシ枠７は引き違い戸１６，１７を装備するものに則して説明するが、単なる引戸の他、窓やドアのためのサッシ枠に適用することができる。図１において、Ｊは錠前である。
図２を参照して、各柱３は両側に開く溝形を一体に形成しており、両側に開口凹部１８を形成している。柱３は両側の溝形で共通となるウェブ１９と、リップ部２０付きの一対のフランジ２１とを備える。隣接する柱３，３は互いの開口凹部１８を向き合わせている。
【００１３】
サッシ枠本体７の縦枠１１，１２は互いに外向きに開く開口凹部２２を有するＣ形チャンネル材からなる。縦枠１１，１２はウェブ２３と、リップ部２４付きの一対のフランジ２５とを備える。ウェブ２３の表面は戸当たり部２６となっている。また、各縦枠１１，１２のリップ部２４とこれに対向する柱３のリップ部２０との間の隙間を埋めるように、リップ部２４に沿わせてパッキン２７が取り付けられている。このパッキン２７によって防音効果が非常に高くすることができる。
【００１４】
可動連結枠１４，１５は、対応する縦枠１１，１２によって外側方へ水平に平行移動可能に支持されており、上記の平行移動に伴って柱３の開口凹部１８内に嵌め込み可能な嵌め込み部２８を有している。各嵌め込み部２８は、対応するねじ機構２９によって操作されて、柱３の開口凹部１８内に嵌め込まれるようになっている。ねじ機構２９は、縦枠１１，１２からの嵌め込み部２８の突出量を調整する調整機構として機能する。
【００１５】
左右の可動連結枠１４，１５及びこれを駆動するねじ機構２９は同様の構成なので、以下では、右側の可動連結枠１５とこれに対応するねじ機構２９に則して説明する。
図３及び図４を参照して、可動連結枠１５は溝形部３０を備え、この溝形部３０に上記の嵌め込み部２８が連設されている。溝形部３０は、縦枠１２の開口凹部２２内で各フランジ２５の内面に沿わされて可動連結枠１５の平行移動を案内するための一対のフランジ３１と、ウェブ３２とを備える。
【００１６】
ウェブ３２が図４に示すように縦枠１２のリップ部２４の背面に当接することで、嵌め込み部２８を最大に迫り出させたときの可動連結枠１５の位置決めがなされるようになっている。
上記の嵌め込み部２８はＨ形をなしており、フランジ２１に平行に延びる一対の側板３３と両側板３３間を連結する背面板としての連結板３４とを備えている。嵌め込み部２８として溝形のものを用いても良い。
【００１７】
図３、図４及び図５を参照して、上記ねじ機構２９は、縦枠１２の戸当たり部２６と嵌め込み部２８の連結板３４とを連結するねじ軸３５を備える。
このねじ軸３５は、縦枠１２の戸当たり部２６に露出する操作用の頭部３６と、縦枠１２のウェブ２３のねじ挿通孔３７及び可動連結枠１５の連結板３４の挿通孔３８を貫通する軸部３９とを含む。
軸部３９は、一部に欠如部４０を形成する太径のねじ部４１と、先端側の細径部４２とを有する。ねじ部４１は、縦枠１２のウェブ２３の戸当たり部２６の背面に固定されるねじ孔形成体４３のねじ孔４４にねじ込まれてこれを貫通している。また、細径部４２は嵌め込み部２８の連結板３４の挿通孔３８に空回り自在に挿通されている。また、細径部４２には連結板３４の両側に配置される第１及び第２のワッシャ４５，４６が遊嵌されている。第１のワッシャ４５はねじ軸３５の太径のねじ部４１と細径部４２との間に形成される段付き部４７に当接することで軸方向移動を止められている。
【００１８】
一方、第２のワッシャ４６は、細径部４２に貫通形成される径方向孔４８に係合する割りピン４９によってねじ軸３５の軸方向先端側への移動を止められている。連結板３４を挟む両ワッシャ４５，４６間には十分な間隔を設けてある。
上記のねじ形成体４３は図５に示すように、縦長板からなり、一対の取付ねじ５０により図３に示すように縦枠１２のウェブ２３の戸当たり部２６の背面に固定される。図５において、５１は各取付ねじ５０を挿通させるねじ挿通孔である。取付ねじ５０の頭部は当該取付ねじ５０のねじ込み前に予め形成されていても良いし、取付ねじ５０を六角孔付きとしておき、六角孔を用いてねじ込んだ後、端部をかしめて頭部を形成するようにしても良い。
【００１９】
なお、上記のねじ部４１に設けた欠如部４０は、本ねじ機構２９のねじ軸３５をねじ形成体４３のねじ孔４４にねじ込む際に、ねじ込みの手間を軽減するためのものである。
本実施の形態によれば、図３に示すように、ねじ機構２９のねじ軸３５の頭部３６の操作で、可動連結枠１５の嵌め込み部２８を最大限引っ込ませる状態とし、サッシ枠本体１３の縦枠１２を正面から柱３のリップ部２０に沿って滑り込ませる。
【００２０】
次いで、図４に示すように、ねじ軸３５をねじ形成体４３へねじ込み、可動連結枠１５の嵌め込み部２８の連結板３４を第１のワッシャ４５を介して押して、嵌め込み部２８を縦枠１２の外側方へ移動させ柱３の開口凹部１８内に進出させる。これにより、サッシ枠７の取付が完了する。サッシ枠７を取り外すときは、これと全く逆の動作で簡単に取り外しを行うことができる。
以上のように、本実施の形態では、組立ハウス１の据え付け後に、サッシ枠７を交換する必要がある場合、ねじ機構２９のねじ操作で可動連結枠１５の嵌め込み部２８を進退させるだけで、非常に簡単に交換することができる。
【００２１】
また、可動連結枠１４，１５は溝形部３０とＨ形の嵌め込み部２８を組み合わせた形状をしているので、押出材等の安価で強度のある部材を利用することができ、また、Ｃ形チャンネル材からなる縦枠１１，１２と組み合わせ易い。
さらに、戸当たり部２６に露出するねじ軸３５の頭部３６を回動操作することで、外部から容易に嵌め込み部２８の突出量を調整することができ、作業し易い。
【００２２】
また、縦枠１１，１２と、別体にねじ孔形成体４３を設けるようにしたので、ねじ孔形成体４３としてねじ孔４４の強度が得られる材料、例えば鋼等を自由に用いることができて、好ましい。
また、ねじ機構２９を組み立てる際、戸当たり部２６からねじ込んだねじ軸３５の細径部４２に第１のワッシャ４５を嵌めた後、嵌め込み部２８の連結板３４を貫通させ、連結板３４から突出する細径部４２に第２のワッシャ４６を嵌め、次いで、割りピン４９を嵌めることで、容易にねじ機構２９を組み付けることができて、好ましい。
【００２３】
なお、本発明は上記実施の形態に限定されるものではなく、本発明の請求の範囲内で種々の変更を施すことができる。
【図面の簡単な説明】
【図１】本発明の一実施の形態の組立ハウス用サッシ枠が適用された組立ハウスの要部の概略正面図である。
【図２】組立ハウスのＣ形チャンネル材からなる柱間に組み込まれたサッシ枠の概略断面図である。
【図３】サッシ枠の可動連結枠の嵌め込み部を引っ込ませて柱間に滑り込ませた状態を示す概略断面図である。
【図４】サッシ枠の可動連結枠の嵌め込み部を柱の開口凹部内へ進出させた状態を示す概略断面図である。
【図５】ねじ機構の分解斜視図である。
【符号の説明】
１    組立ハウス
３    柱（Ｃ形チャンネル材，溝形材）
７    サッシ枠
９    上枠
１０  下枠
１１，１２  縦枠
１３  サッシ枠本体
１４，１５  可動連結枠
１６，１７  引き違い戸
１８  開口凹部
２６  戸当たり部
２８  嵌め込み部
２９  ねじ機構（調整機構）
３０  溝形部
３２  ウェブ
３４  連結板（背面板）
３５  ねじ軸
３６  頭部
３９  軸部
４２  細径部
４３  ねじ孔形成体
４４  ねじ孔
４５  第１のワッシャ
４６  第２のワッシャ
４７  段付き部
４８  径方向孔
４９  割りピン
【図１】
0003550387.tif 000002
【図２】
0003550387.tif 000003
【図３】
0003550387.tif 000004
【図４】
0003550387.tif 000005
【図５】
0003550387.tif 000006